(57)【要約】【課題】建設工事現場で斫り作業など破壊片、粉塵及び騒音が発生する際に、その作業現場を臨時に囲うための防塵シートを提供する。【解決手段】天井を供えた構造物内の発塵領域とその他の領域とを区画する防塵シートがランナーとそのランナーの上面に対向するスポンジを備えていることの特徴に加えて、前記ランナーの下部に貫通ボックスが設けられていることを特徴とする防塵シート【選択図】図１
2018112046.tif 000002
【特許請求の範囲】
【請求項１】
天井を供えた構造物内の発塵領域とその他の領域とを区画する防塵シートがランナーとそのランナーの上面に対向するスポンジを備えていることの特徴に加えて、前記ランナーの下部に貫通ボックスが設けられていることを特徴とする防塵シート
【請求項２】
請求項１の特徴に加えて、天井面と床面との間に敷設される防塵シートのシート材が貫通ボックスの外下面とこの面に対向するシート固定具上面との間に挟みこまれて固定されていることを特徴とする防塵シート
【請求項３】
請求項２の特徴に加えて、前記貫通ボックスに送風器と塵取りフィルタを備えていることを特徴とする防塵シート
【請求項４】
請求項２または請求項３のいずれかの特徴に加えて、前記貫通ボックスの開放口を塞ぐ蓋を備えていることを特徴とする防塵シート
【請求項５】
請求項３の特徴に加えて、前記貫通ボックスからの送気の向きを天井から床方向に向ける風向き変更フードを備えていることを特徴とする防塵シート
【請求項６】
請求項１の特徴に加えて、天井面と床面との間に敷設されるシート材が前記貫通ボックスを通して保持されることを特徴とする防塵シート
【請求項７】
請求項６の特徴を有する防塵シートの前記シート材を前記貫通ボックスを通してその床面からの距離を自在に調整して保持することを特徴とする防塵シートの敷設方法
【発明の詳細な説明】
【技術分野】
【０００１】  本発明は、建設工事現場で発生する塵が周囲の領域に拡散してしまうことを防ぐために発生個所の周囲を覆うために敷設する防塵シートおよびその敷設方法に関する。
【背景技術】
【０００２】  建設工事現場では、構造物を一部砕いたり削ったりといった粉塵及び騒音が発生する作業を行う場合がある。この問題を解決するために、特許文献１の技術が開発されている。【０００３】  特許文献１では、天井にガムテープを貼るなどせずに簡便に密閉空間を作りだすことができている。特許文献１の技術では、シート材の丈が床から天井までの高さよりも長めに設定しておくことで天井から吊り下げられたシート材が床に着きさらに余ったシート材が重しの役割を果たして床とシート材との間の密閉性を高めている。
【先行技術文献】
【特許文献】
【０００４】
【特許文献１】特許第４２１７９８３号
【発明の概要】
【発明が解決しようとする課題】
【０００５】  従来の防塵シートでは、シートによって囲まれた空間を密閉することができるが、換気をしたい時にはシート材をめくり上げるなどの手間がかかることが課題であった。【０００６】  従来の防塵シートでは、その出入のためにシート材の立て方向にファスナーを取り付けて、出入りしたい時にファスナーを明けて入り、出入りが終了したらファスナーを閉じるということを行う時があるが、その際に余って床に横たわらせているシート材が多すぎると出入りの際にこの横たわったシート材の移動が重くて円滑に出入りをすることが難しい場合があった。
【課題を解決するための手段】
【０００７】  本発明の防塵シートは、第１に、天井を供えた構造物内の発塵領域とその他の領域とを区画する防塵シートがランナーとそのランナーの上面に対向するスポンジを備えていることの特徴に加えて、前記ランナーの下部に貫通ボックスが設けられていることを特徴として、
第２に、前記第１の特徴に加えて、天井面と床面との間に敷設される防塵シートのシート材が貫通ボックスの外下面とこの面に対向するシート固定具上面との間に挟みこまれて固定されていることを特徴とし、
第３に、前記第２の特徴に加えて、前記貫通ボックスに送風器と塵取りフィルタを備えていることを
第４に、前記第２または第３の特徴に加えて、前記貫通ボックスの開放口を塞ぐ蓋を備えていることを
第５に、前記第３の特徴に加えて、前記貫通ボックスからの送気の向きを天井から床方向に向ける風向き変更フードを備えていることを
第６に、前記第１の特徴に加えて、天井面と床面との間に敷設されるシート材が前記貫通ボックスを通して保持されることを
本発明の防塵シートの敷設方法は第７に、前記第６の特徴に加えて、前記シート材を前記貫通ボックスを通してその床面からの距離を自在に調整して保持することを特徴とする。
【発明の効果】
【０００８】    本発明の防塵シートは、第１に、天井を供えた構造物内の発塵領域とその他の領域とを区画する防塵シートがランナーとそのランナーの上面に対向するスポンジを備えていることの特徴に加えて、前記ランナーの下部に貫通ボックスが設けられていることを特徴とする場合には、上記貫通ボックスに様々な器具を装備したり、様々な器具を懸架することにより、防塵シートを敷設した領域の空気の清浄度などを制御することができる。また、前記第１の特徴に加えて、天井面と床面との間に敷設される防塵シートのシート材が貫通ボックスの外下面とこの面に対向するシート固定具上面との間に挟みこまれて固定されている第２の特徴を備えている場合には、防塵シートで覆われた空間に対して前記貫通ボックスに様々な器具を装備することで、防塵シートで囲まれた領域の空気の清浄度の制御または防塵シートで仕切られた外部の領域の空気の清浄度の制御を行うことができる。前記第２の特徴に加えて、前記貫通ボックスに送風器と塵取りフィルタを備える第３の特徴を有する場合には、防塵シートで仕切られた領域に対して送風機によって送気または吸気することができ、その送気または吸気の際にその空気をフィルタで清浄化できる。前記第２または第３の特徴に加えて、前記貫通ボックスの開放口を塞ぐ蓋を備えている第４の特徴を有する場合には防塵シートで仕切られた領域を簡便に密閉することができる。前記第３の特徴に加えて、前記貫通ボックスからの送気の向きを天井から床方向に向ける風向き変更フードを備えている第５の特徴を有する場合には、防塵シートで仕切られた領域の防塵シートに沿ってその内側または外側に天井から床方向に気流を作り出すことができる。前記第１の特徴に加えて、天井面と床面との間に敷設されるシート材が前記貫通ボックスを通して保持される第６の特徴を有する場合には、敷設の天井高さに応じて最適な丈でシート材を懸架することができる。また、前記第６の特徴に加えて、前記シート材を前記貫通ボックスを通してその床面からの距離を自在に調整して保持する第７の特徴を有する防塵シートの敷設方法の場合には、密閉したい場合にはシート材を床まで下げてさらに下げて床に沿って余らせるように配置し、出入りの際にはシート材を人が通れるように上方に上げてしまうこともできる。
【図面の簡単な説明】
【０００９】
【図１】本発明の第１の実施例の使用状態を示した斜視図である。
【図２】本発明の第２の実施例の使用状態を示した側断面図である。
【図３】本発明の第３の実施例の使用状態を示した側断面図である。
【図４】本発明の第４の実施例の使用状態を示した側断面図である。
【図５】本発明の第５の実施例の使用状態を示した側断面図である。
【図６】本発明の第６の実施例の使用状態を示した斜視図である。
【図７】本発明の第７の実施例の使用状態を示した斜視図である。
【図８】本発明の第８の実施例の第１の状態を示した斜視図である。
【図９】本発明の第８の実施例の第２の状態を示した斜視図である。
【図１０】本発明の第９の実施例の使用状態を示した斜視図である。
【発明を実施するための最良の形態】
【００１０】  発明を実施するための最良の形態は、天井を供えた構造物内の発塵領域とその他の領域とを区画する防塵シートにおいて、天井面と床面との間に敷設される防塵シートのシート材天井側端がランナーとそのランナーの上面に対向するスポンジを備えていることの特徴に加えて、前記ランナーの下部に貫通ボックスが設けられていて、さらに、天井面と床面との間に敷設される防塵シートのシート材が貫通ボックスの外下面とこの面に対向するシート固定具上面との間に挟みこまれて固定されていること、及び、前記シート材の一方の面にマジックテープ（登録商標）のメスを取り付け、前記シート材の他方の面にマジックテープ（登録商標）のオスを取り付けていること、および、前記ランナーの上面が前記シート材の天井側端には覆われているが前記スポンジとは対向していない領域を備えていること、および前記スポンジの下面が前記シート材の天井側端には覆われているが前記ランナーとは対向していない領域を備えていること、そして、前記スポンジとは対向していないランナーの領域の鉛直部分のシート材に前記マジックテープ（登録商標）のメスが取り付けられ、前記ランナーとは対向していないスポンジの領域の鉛直部分のシート材に前記マジックテープ（登録商標）のオスが取り付けられていること、さらに、伸縮自在棒が前記ランナーに取り付けられていることおよび前記伸縮自在棒がその軸方向と前記ランナーの上面との角度を垂直以外の角度にも自在に傾けられることを特徴とする防塵シートである。
【実施例】
【００１１】  本発明の第１の実施例を図１に示す。図１には防塵シート１として、隣接する２つのシート、すなわち手前防塵シート２と奥防塵シート３の接続部分を描いている。防塵シートは、鋼製の下開口コの字型材であるランナー４、開放ボックス５、糸入り透明シート材６及びスポンジ７を主な構成要素としている。図では省略しているが各防塵シートは特許文献１の図１に描かれているように、下面の部分に溝が掘られているランナーを下から伸縮自在棒で天井方向に突き上げる形で防塵シートが支えられている。図１に描くようにシート材は、開放ボックスの下面と鋼製の下開口コの字型材であるシート固定部品８の上面の間に挟みこんで取り付けてあり、手前防塵シートの糸入り透明シート材はその右端は手前防塵シートの開放ボックスの右端と一致させてある。この右端にはオスタイプマジックテープ（登録商標）９が取り付けられている。ランナーの上面にはスポンジが取り付けられているが、手前防塵シートでは、ランナーの上面の右端部分が部分的にスポンジで覆われずに露出している。これは後で詳細に述べる通り、奥防塵シートに取り付けられたスポンジで覆われるために露出させてある。奥防塵シートはその左端部分において、ランナーと開放ボックスの端部が揃っており、スポンジは左方向に張り出している。また、開放ボックスの下面に取り付けてある糸入り透明シート材の左端はスポンジと同様に左方向にはみ出している。はみ出した部分にメスタイプマジックテープ（登録商標）１０を取り付けてある。図１の手前防塵シートと奥防塵シートは実際に現場に設置する際には、それぞれのランナーの右端と左端を接触させて設置する。両防塵シートの開放ボックスも接した状態になる。奥防塵シートの糸入り透明シート材がはみだしており、また、そのはみだした部分に召すタイプマジックテープが取り付けてあるので、このメスタイプと手前防塵シートのオスタイプとを密着させる。端部付近のランナー上面については、奥防塵シートの張り出したスポンジが手前防塵シートの露出したランナー上面を覆う形で配置して天井に押し付けて、手前防塵シートと奥防塵シートを一体のものにして塵が発生する領域を覆う防塵囲いとして利用する。この実施例では、糸入り透明シート材で覆われた部分は密閉性が高いが、上部の開放ボックスの部分を通して囲いの内側と外側との間で換気ができる。この開放ボックスを空気が通る際に開放ボックスの奥行があるために内側で発生した塵はこの開放ボックスの内壁で吸着されて外部への埃の拡散が抑制できる。なお、糸入り透明シート材の下端は、図１では個々に丸めているが、設置の際には一度伸ばしてメスタイプとオスタイプのマジックテープを密着させて奥防塵シートと手前防塵シートを一体にしてから下端を丸めておく。【００１２】  本発明の第２の実施例を図２を用いて説明する。図２は本発明の防塵シートの側断面図である。図２の左側が埃が発生する領域であり、防塵シートを挟んで右側が通常の清浄空気の領域である。天井１００に押し付けられた防塵シート１は、図１と同様の構造で上からスポンジ７、ランナー４、開放ボックス１１、糸入り透明シート材６、シート固定部品８で構成されている。開放ボックスの内部にはモータ��駆動のファン１２が配備されており、ファンの左側すなわち、埃が発生する領域側には塵取りフィルタ１３が配置されている。ファンは図に描いた矢印の通り左から右に空気が移動する方向、すなわち、囲いの内側の空気を吸気する方向に作動させる。このことで、囲いの内部の埃を含んだ空気は塵取りフィルタで清浄化して外部に吸気し、囲いの内部が陰圧になることで他の部分から埃が外部に漏れだすことをより効果的に防ぐことができる。【００１３】  本発明の第３の実施例を図３を用いて説明する。図３は図２とほぼ同じ構造の防塵シートの側断面図である。相違点は、開放ボックスに蓋１４をして密閉状態にしている点である。この構成によって防塵シートで囲まれた領域を密閉することができる。【００１４】  本発明の第４の実施例を図４を用いて説明する。モーター駆動のファン１２を開放ボックス内に配備し、図４は図２とほぼ同じ構造の防塵シートの側断面図である。開放ボックスの防塵シートの内側面に下向きフード１５を具備していることを特徴としている。ここで内側面とは防塵シートで囲った閉空間に面した面のことである。ファンを通して囲いの外部からの清浄な空気が囲いの中に取り込まれる。取り込まれた空気の風向きは下向きフードによってダウンフローになり、囲い内部の空気を無用に攪拌して埃を舞い上げることを防いでいる。この取り込まれた空気によって囲いの内部は若干陽圧となるが、糸入り透明シート材と床との隙間や糸入り透明シート材同士のわずかな隙間を通して内部の空気が外部に逃げることで若干陽圧という状況を維持している。【００１５】  本発明の第５の実施例を図５を用いて説明する。モーター駆動のファン１２を開放ボックス内に配備し、図５は図２とほぼ同じ構造の防塵シートの側断面図である。開放ボックスの防塵シートの内側面に下向きフード１５を具備していて、糸入り透明シート材６が捲り上げられていることを特徴としている。ここで内側面とは防塵シートで囲った閉空間に面した面のことである。ファンを通して囲いの外部からの清浄な空気が囲いの中に取り込まれる。取り込まれた空気の風向きは下向きフードによってダウンフローになり、囲い内部の空気を無用に攪拌して埃を舞い上げることを防いでいることに加えて、糸入り透明シート材が捲り上げられている部分で、内部の塵や埃が外部に拡散することを抑制している。このダウンフローによって捲り上げた部分で人や機材の出入りが自由に出来て、かつ、塵や埃の外部拡散を抑制できる。【００１６】  発明の第６の実施例を図６に示す。図６には１つの防塵シートユニット１６を構成する要素材を示している。組み立て途中の状態である。大きく３つの要素材で構成されている。手前防塵シート基材１７と奥防塵シート基材１８と糸入り透明シート材６である。防塵シートユニットは、スポンジ７、鋼製のパイプ状角材であるランナー４及びコの字開放ボックス１９を主な構成要素としている。図では省略しているが各防塵シートユニットは特許文献１の図１に描かれているのと同様に、下面の部分に溝が掘られているランナーを下から伸縮自在棒で天井方向に突き上げる形で防塵シートが支えられている。図６に描くようにシート保持部品はそれぞれの防塵シートユニットの互いに開口部が対向したコの字形上をしており、２つの防塵シートユニットを合体させることで、ロの字形上のシート保持部品となる。糸入り透明シート材は、このシート保持部品のロの字形状の開口部を通して懸架する構成になっている。ロの字形状の開放部の内壁の状態の詳細を説明する。糸入り透明シート材を下から支える支え面２０はシート材が円滑に移動できるように滑らかな表面を持っており、天井面２１にはブラシが備えられていて、シート材に接触している。このブラシは２つの役割を担っている。１つは、この防塵シートで囲った領域で発生する塵や埃が外部に漏れないためのフィルタとしての役割であり、もう１つは、シート材に付着した塵や埃を払い落とす役割である。後者の役割は、シート材をシート保持部品で懸架する際に発揮される。シート材をこの保持部品に通して滑らすとシート材がブラシに触りながら移動するのでブラシかけをしたことになる。シート材の２つの面のうち、囲いの際の内面となる面により多くの塵や埃が付着するので、その面がブラシに触れるように組み立てるとより効果的である。防塵シートで構成される囲いを撤去する際に、このブラシを利用してシート材を効果的・効率的にブラシかけするという使い方もできる。【００１７】  本発明の第７の実施例を図７を用いて説明する。出入り用のファスナー２２を備えたファスナー付防塵シートユニット２３の例である。糸入り透明シート材６’の中心部分に縦方向にファスナーを取り付けてある。その他の部分は図６で示した実施例と同じである。糸入り透明シートの下端は図に描くように丸めて重石の役割を持たせておき、ファスナーは閉状態であっても天井から床部分までは閉状態、丸めた部分では開状態にしておき、出入りのためにファスナーを全開状態にする作業をやりやすくしておく。図７は全開状態を描いてある。ロの字開口シート材保持部品２４の開口部でシート材を懸架してあるので、使いやすい状態にシート材の実質的長さを調整できる。図７では開口部の向こう側にシート材を３０ｃｍ程度はみ出した状態で懸架した。このことで、シート材が安定して懸架でき、丸めた重石部分も適度な分量となっている。【００１８】  本発明の第８の実施例の第１の状態を図８に、第２の状態を図９に示す。図８は糸入り防塵シートを懸架していない状態である。図８はもともとロの字開口部を備えたロの字開口シート材保持部品２４を備えていることが特徴である。ロの字開口シート材保持部品の上にはランナー４、そのさらに上にはスポンジ７が取り付けられている。この状態ではこの防塵シートユニット１６の下の床１０１の上を人が妨げなく人往来できる。【００１９】  図９で示した第２の状態では、糸入り透明シート材６が懸架されている。この実施例では、このようにシート材を必要に応じて懸架したり（図９）、取り除いたり（図８）できることが特徴である。【００２０】  本発明の第９の実施例を図１０に示す。防塵シートユニット１６に懸架する糸入り透明シート材６に、取っ手２５が取り付けられていることを特徴とする実施例である。防塵シートユニットは、スポンジ７、ランナー４、ロの字開口シート材保持部品２４で構成されている。この例では糸入り透明シート材を上方に上げて床１０���から遠ざけて人が通行できるようにしてある。密閉したい時は取っ手を掴んでシート材を下に引き下げる。
【産業上の利用可能性】
【００２１】  本発明の防塵シートは建設工事現場などで、粉塵又は騒音又はその両方が発生する場合に、それが近隣などの迷惑にならないように閉じ込めることに利用される。
【符号の説明】
【００２２】１防塵シート、２手前防塵シート、３奥防塵シート、４ランナー、５開放ボックス、６及び６’糸入り透明シート材、７スポンジ、８シート固定部品、９オスタイプマジックテープ（登録商標）、１０メスタイプマジックテープ（登録商標）、１１開放ボックス、１２ファン、１３塵取りフィルタ、１４蓋、１５下向きフード、１６防塵シートユニット、１７手前防塵シート基材、１８奥防塵シート基材、１９コの字開放ボックス、２０支え面、２１天井面、２２ファスナー、２３ファスナー付防塵シートユニット、２４ロの字開口シート材保持部品、２５取っ手、１００天井、１０１床
【図１】
2018112046.tif 000003
【図２】
2018112046.tif 000004
【図３】
2018112046.tif 000005
【図４】
2018112046.tif 000006
【図５】
2018112046.tif 000007
【図６】
2018112046.tif 000008
【図７】
2018112046.tif 000009
【図８】
2018112046.tif 000010
【図９】
2018112046.tif 000011
【図１０】
2018112046.tif 000012